(57)【要約】【課題】  移動受信端末の周囲環境が経時的に変化しても、その変化に追従して受信状況を報知する。【解決手段】  複数の携帯電話器２が管理センタ１０と通信可能である。携帯電話器２は地上デジタルテレビジョン放送信号を受信し、その放送信号の受信レベルを検出し、当該携帯電話器２の位置を表す位置情報を検出し、受信レベルと位置情報とを、管理センタ１０に送信する。管理センタ１０は、携帯電話器２から送信された受信レベルと位置情報とに基づいて様々な位置における放送信号の受信状況を表すデータベースを作成する。各携帯電話器２は、管理センタ１０に現在の位置情報を含む送信要求を送信する。管理センタ１０は、受信した送信要求に含まれている現在の位置情報に対応する受信状況を、送信要求を送信した携帯電話器２に送信する。送信要求を送信した携帯電話器２は、受信した受信状況を表示する。【選択図】        図１
2007150664.tif 000002
【特許請求の範囲】
【請求項１】
複数の移動受信端末と、これら移動受信端末と通信可能な管理センタとを、含み、
前記各移動受信端末は、放送信号を受信し、その放送信号の受信レベルを検出し、当該移動受信端末の位置を表す位置情報を検出し、前記受信レベルと前記位置情報とを、前記管理センタに送信し、
前記管理センタは、前記各移動受信端末から送信された受信レベルと位置情報とに基づいて様々な位置における前記放送信号の受信状況を表すデータベースを作成し、
前記各移動受信端末は、前記管理センタに現在の位置情報を含む送信要求を送信し、
前記管理センタは、受信した前記送信要求に含まれている前記現在の位置情報に対応する前記受信状況を、前記送信要求を送信した前記移動受信端末に送信し、
前記送信要求を送信した前記移動受信端末は、受信した前記受信状況を表示する
移動受信端末の受信状況報知システム。
【請求項２】
請求項１記載の移動受信端末の受信状況報知システムにおいて、前記データベースは、前記受信レベルと前記位置情報とに基づいて作成された、各位置において前記放送信号を受信可能か否かを表した受信エリアマップを含み、前記管理センタは、前記送信要求を受信したとき、当該送信要求に含まれている前記位置情報が表す位置を含む受信エリアマップの部分を、前記送信要求を送信した前記移動受信端末に送信する
移動受信端末の受信状況報知システム。
【請求項３】
請求項１記載の移動受信端末の受信状況報知システムにおいて、前記移動受信端末は、それの傾きを検出する手段を備え、前記受信レベルと前記位置情報と共に前記検出された前記移動受信端末の傾きを表す傾き情報も、前記管理センタに送信し、前記管理センタは、前記データベースを、前記各移動受信端末から送信された受信レベルと位置情報と前記傾き情報とに基づいて、様々な位置における様々な傾きにおける前記放送信号の受信状況を表すものとし、
前記各移動受信端末は、前記送信要求に傾き情報を含めて前記管理センタに送信し、
前記管理センタは、受信した前記送信要求に含まれている前記現在の位置情報及び傾き情報に対応する前記受信状況を、前記送信要求を送信した前記移動受信端末に送信する
移動受信端末の受信状況報知システム。
【請求項４】
請求項１記載の移動受信端末の受信状況報知システムにおいて、前記移動受信端末は、第１及び第２の部分からなり、第１の部分の内部にアンテナが設けられ、第１の部分が第２の部分に対してなす角度が変更可能な携帯電話器であり、この携帯電話器は、前記角度を検出する角度検出手段が設けられ、この携帯電話器は、前記受信レベルと前記位置情報と共に前記検出された角度を表す角度情報も、前記管理センタに送信し、
前記管理センタは、前記データベースを、前記各携帯電話器から送信された受信レベルと位置情報と前記各度情報とに基づいて、様々な位置における様々な角度における前記放送信号の受信状況を表すものとし、
前記各携帯電話器は、前記送信要求に角度情報を含めて前記管理センタに送信し、
前記管理センタは、受信した前記送信要求に含まれている前記現在の位置情報及び角度情報に対応する前記受信状況を、前記送信要求を送信した前記携帯電話器に送信する
移動受信端末の受信状況報知システム。
【発明の詳細な説明】
【技術分野】
【０００１】
本発明は、携帯電話器のような移動受信端末における放送信号の受信状況を報知する受信状況報知システムに関する。
【背景技術】
【０００２】
現在、我が国では地上デジタル放送が開始されている。地上デジタル放送では、移動受信端末、例えば携帯端末向けの送信が計画されている。この携帯端末向けの送信を良好に受信するために、携帯端末の現在位置において受信可能な地上デジタル放送番組を示すＥＰＧを携帯端末に配信する技術が、例えば特許文献１に開示されている。
【０００３】
特許文献１に開示されている技術では、携帯端末から位置情報を含むＥＰＧ要求情報が通信局に送信される。通信局には、データベースが構築されており、このデータベースは、放送サービスエリアマップを格納しており、受信した位置情報をキーとして、このデータベースを検索し、受信した位置情報が表す位置又はその位置付近において受信可能な放送チャンネルを、携帯端末に送信する。
【０００４】
【特許文献１】特開２００４−１０４４８２号公報
【発明の開示】
【発明が解決しようとする課題】
【０００５】
特許文献１の技術では、予めデータベースが作成されている。そのデータベースは実地実験やシミュレーションによって作成する旨の記載がある。携帯端末は、携帯端末の周囲にあるビルなどの建物による電波の遮蔽や、建物で反射した同じ電波が複数の方向から携帯端末に到来するマルチパスの影響を受けやすく、例えば或る位置で実地実験やシミュレーションを行った後に、その位置の周囲の建物の状況などが変化すると、実地実験やシミュレーションを行ったときと前提が変化しており、実地実験やシミュレーションでは受信できると思われていた位置で受信できないことが生じる可能性が高い。また、携帯端末には、個体差（例えば携帯端末自体の傾き、携帯端末の放送局に対する向き、携帯端末の機種の相違によるアンテナの感度の相違）があり、これによって受信レベルも変化があり、詳細なデータベースの作成は困難であった。
【０００６】
本発明は、移動端末装置の周囲環境が時間の経過と共に変化するような場合でも、その変化後の状況に応じた受信状況を報知することができる移動端末の受信状況報知システムを提供することを目的とする。また、本発明は、移動端末装置の個体差による受信状況も報知することができる移動端末の受信状況報知システムを提供することを目的とする。
【課題を解決するための手段】
【０００７】
本発明の一態様による移動端末の受信状況報知システムは、複数の移動受信端末と、これら移動受信端末と通信可能な管理センタとを、含んでいる。移動受信端末としては、携帯電話器、ＰＨＳ、ＰＤＡ、車載用端末、モバイルＰＣ等の放送信号、例えば地上デジタルテレビジョン放送信号を受信可能なものを使用することができる。前記各移動受信端末は、例えば、放送信号を受信する受信手段と、その放送信号の受信レベルを検出するレベル検出手段と、当該受信端末の位置を表す位置情報を検出する位置情報検出手段と、前記受信レベルと前記位置情報とを、前記管理センタに送信する送信手段とを備えている。各移動受信端末は、一定時間ごとに現在の位置情報と受信レベルとを管理センタに送信することが望ましい。前記管理センタは、前記各移動受信端末から送信された受信レベルと位置情報とを受信する受信手段と、受信した受信レベルと位置情報とに基づいて様々な位置における前記放送信号の受信状況を表すデータベースを作成するデータベース作成手段とを有している。前記各移動受信端末は、前記管理センタに現在の位置情報を含む送信要求を前記送信手段によって送信する。前記管理センタは、受信した前記送信要求に含まれている前記現在の位置情報に対応する前記受信状況を前記データベースから検索して、前記送信要求を送信した前記移動受信端末に送信する送信手段を有している。前記送信要求を送信した前記移動受信端末は、前記受信状況を受信する受信手段を有し、受信した受信状況を表示する表示手段を備えている。
【０００８】
このように構成した受信状況報知システムでは、予め実地実験やシミュレーションによって作成したデータベースを用いるのではなく、様々な位置に存在する各移動受信端末から送信されてくる現在の位置と、その位置での受信レベルとを基にして作成されているデータベースを使用している。そのため、移動受信端末の周囲の状況が、過去と変化していたとしても、現在の状況に近いデータベースを使用しているので、現在の環境に近い受信状況を移動端末において知ることができる。
【０００９】
データベースは、前記受信レベルと前記位置情報とに基づいて作成された、各位置において前記放送信号を受信可能か否かを表した受信エリアマップを含むことが可能である。前記管理センタは、前記送信要求を受信したとき、当該送信要求に含まれている前記位置情報が表す位置を含む受信エリアマップの部分を、前記送信要求を送信した前記移動受信端末に送信する。受信エリアマップは、受信可能なエリアと受信不能なエリアとを表示されている。
【００１０】
このように構成すると、移動受信端末の使用者が、受信不能なエリアに位置する場合、どの方向にどの程度移動すれば、受信可能となるかの情報を得ることができる。
【００１１】
前記移動受信端末は、それの傾きを検出する手段を備えることができる。この場合、前記受信レベルと前記位置情報と共に前記検出された前記移動受信端末の傾きを表す傾き情報も、移動受信端末から前記管理センタに送信する。前記管理センタは、前記データベースを、前記各移動受信端末から送信された受信レベルと位置情報と前記傾き情報とに基づいて、様々な位置における様々な傾きにおける前記放送信号の受信状況を表すものとする。前記各移動受信端末は、前記送信要求に傾き情報を含めて前記管理センタに送信し、  前記管理センタは、受信した前記送信要求に含まれている前記現在の位置情報及び傾き情報に対応する前記受信状況を、前記送信要求を送信した前記移動受信端末に送信する。
【００１２】
このように構成すると、移動受信端末が例えば携帯電話器のように手持ちされて傾いている場合、位置だけでなくその傾きにも対応した受信状況を知ることができる。
【００１３】
前記移動受信端末は、第１及び第２の部分からなり、第１の部分の内部にアンテナが設けられ、第１の部分が第２の部分に対してなす角度が変更可能な携帯電話器とすることができる。この携帯電話器は、前記角度を検出する角度検出手段が設けられている。この携帯電話器は、前記受信レベルと前記位置情報と共に前記検出された角度を表す角度情報も、前記管理センタに送信する。管理センタは、前記データベースを、前記各携帯電話器から送信された受信レベルと位置情報と前記角度情報とに基づいて、様々な位置における様々な角度における前記放送信号の受信状況を表すものとする。前記各携帯電話器は、前記送信要求に角度情報を含めて前記管理センタに送信する。前記管理センタは、受信した前記送信要求に含まれている前記現在の位置情報及び角度情報に対応する前記受信状況を、前記送信要求を送信した前記携帯電話器に送信する。
【００１４】
第１の部分が第２の部分に対してなす角度が変更可能な携帯電話器、例えば折り畳み可能な携帯電話器の場合、アンテナの角度は、第１の部分を第２の部分に対してどのような角度にしているかによって変化し、その角度に応じても受信状況が異なる。しかし、上記のようにデータベースを作成しておけば、受信位置だけではなく、第１の部分に対する第２の部分の角度にも応じた受信状況を、携帯電話器の使用者に提供することができる。
【発明の効果】
【００１５】
以上のように、本発明によれば、移動受信端末の周囲の状況が経時的に変化しても、或いは移動端末に個体差があっても、受信環境の変化や個体差の変化に対応した受信レベルがデータベースに供給されているので、これらに対応した受信状況を移動受信端末において知ることができる。
【発明を実施するための最良の形態】
【００１６】
本発明の１実施形態の移動受信端末受信状況報知システムは、図１に示すように、複数の移動受信端末、例えば携帯電話器２を備えている。これら携帯電話器２は、携帯基地局４を介して携帯電話器として通話が行えるだけでなく、送信局、例えば地上デジタルテレビジョン放送送信局６から送信されている放送信号、例えば地上デジタルテレビジョン放送信号を受信する受信手段、例えばチューナを備えている。この受信手段は、送信局６から送信されている全てのチャンネルを受信可能なものである。携帯電話器２は、さらに、受信したチャンネルの受信レベルを検出するレベル検出手段、例えばレベル検出器も備えている。
【００１７】
また、これら携帯電話器２は、その携帯電話器２の位置を表す位置情報の検出手段、例えばＧＰＳ用衛星８、８・・・を利用するＧＰＳ装置を備えている。従って、携帯電話器２の位置を高精度に測定することができる。さらに、これら携帯電話器２は、傾斜検出手段、例えば傾斜検出器も備えている。傾斜検出器は、携帯電話器２が、それの使用者によって例えば水平面に対してどのような角度で使用されているかを検出する。
【００１８】
また、携帯電話器２は、折り畳式の場合、第１及び第２の部分２ａ、２ｂからなり、不使用時には第１の部分２ａが第２の部分２ｂに対して重なり合うように配置されているが、使用時には第１の部分２ａが第２の部分２ｂに対して或る角度をなすように開かれて使用される。第１の部分２ａ内にはアンテナが収容されており、上記開きの角度によってアンテナの感度が異なる。そこで、この開きの角度を角度検出器によって検出している。
【００１９】
各携帯電話器２は、これら各情報、即ち、レベル検出器によるレベル情報、ＧＰＳ装置による位置情報、傾斜検出器による傾斜情報、角度検出器による角度情報を、一定時間が経過するごとに検出する。そして、各携帯電話器２は、これら各情報と携帯電話器２の機種を表す型番データとを１組として、図２に示すように携帯基地局４に送信手段、例えば送信回路によって送信する。この送信は、上記情報を検出するごとに自動的に行うことができる。しかし個人情報の保護の観点から送信を望まない携帯電話器２の使用者の存在を考慮して、自動送信を行うか否かを使用者が設定できるようにすることが望ましい。また、このような情報の送信を行うか否かを使用者が設定できるようにすることも望ましい。
【００２０】
携帯基地局４では、これら受信した各組の情報を管理センタ１０に送信する。管理センタ１０では、これら各組の情報を基に、データベースを作成している。各携帯電話器２は、それらの使用者に従って様々な位置、様々な傾斜、様々な角度、様々な機種で使用されているので、様々な位置の様々な傾斜、様々な角度及び様々な機種における受信レベルが位置、傾斜、角度、機種と対応させて入力され、データベースが作成される。
【００２１】
このデータベースでは、位置情報、傾斜情報、角度情報及び型番情報のうちいずれかあるいはこれらの適切な組合せをキーとして受信レベルを検索することができ、この検索された受信レベルを予め定めた基準レベルと比較して、地上デジタルテレビジョン放送を視聴することができるか否かの情報を出力する。また、入力された位置情報、傾斜情報、角度情報、型番情報のうちいずれかまたは適切な組合せを基に、その周囲の受信レベルを検索し、それら受信レベルと上記基準レベルとの比較結果から、どの方向に携帯電話器２を向けるか或いは移動するか携帯電話器２の角度をどのようにすれば、地上デジタルテレビジョン放送信号を受信することが可能になるかも判定し、その判定結果も出力する。
【００２２】
このデータベースは、各携帯電話器２から各組の情報が携帯基地局４を介して入力されるごとに、更新されている。即ち、特定の時期に実地実験したデータやシミュレーションによって決定した受信レベルが継続的にデータベースのデータとして使用されるのではなく、比較的最近に測定された受信レベルがデータとしてデータベースには、含まれている。
【００２３】
このデータベースは、これら携帯電話器２が使用されている地域の地図データも有しており、キーとして入力された位置情報が表す位置及びその周辺を表す地図データに、位置情報が示す位置を表す表示子を追加することが可能で、さらにその位置情報が表す位置で地上デジタルテレビジョン放送信号を視聴することができるか及びその周囲でも視聴できるかを色分け等によって区分けして表示するように地図データを加工して出力する。即ち、受信エリアマップが作成され、それを出力できる。
【００２４】
いずれかの携帯電話器２において、その携帯電話器２の現在位置において地上デジタルテレビジョン放送を視聴できるか否か知りたいときには、携帯電話器２の所定のキー操作によって、上述した位置情報、傾斜情報及び角度情報が検出され、これらが１組として図２に示すように、携帯基地局４を介して管理センタ１０に送信される。管理センタ１０では、送信された１組の情報をキーとして上述したようにデータベースの検索が行われ、キーである１組の情報に対応する受信レベルが検索され、その受信レベルで各地上デジタルテレビジョン放送信号が受信できるか否かの判定が行われ、その判定結果が携帯基地局４を介して上記１組の情報を送信してきた携帯電話器２に返信される。このとき、もし視聴できないとの判定結果の場合には、どの方向に移動すればよいかのデータも返信される。更に、上述した受信エリアマップも返信される。
【００２５】
これによって携帯電話器２では、図３（ａ）、（ｂ）に示すように、視聴できる、視聴できないの表示がなされ、キー操作によって、同図（ｃ）に示すように、視聴するにはどの方向に移動することが必要であるかが表示される。また、キー操作によって同図（ｄ）に示すように受信エリアマップも表示される。同図（ｄ）において丸で示してあるのが当該携帯電話器２を表す表示子で、斜線を付してある部分が受信不可能エリアで、斜線が付されていない部分が受信可能エリアである。
【００２６】
従って、この受信状況報知システムを利用すれば、携帯電話器２の現在位置において地上デジタルテレビジョン放送信号を視聴することができるか否か、もし受信できない場合、どの方向に移動すればよいかを文字及び地図上で知ることができ、受信できないというクレームを軽減することができる。しかも、視聴できるか否かの判定の基礎となる受信レベルは、一定時間ごとに様々な携帯電話器２から管理センタ１０に送信されている。従って、これら携帯電話器２が使用されている受信エリアにおいて新たに建物が建設される等の環境の変化が生じていても、その変化に即応した受信レベルがデータベースに反映しているので、地上デジタルテレビジョン放送信号を視聴できるか否かについて正確に判定することができる。また、基地局の管理側でもデータベースを調査することによって受信不良の地域の特定が容易に行え、中継局の新たな設置を計画する際の基礎資料が安価にかつ容易に得られる。
【００２７】
上記の実施の形態では、移動受信端末として携帯電話器２を使用したが、これに限ったものではなく、地上デジタルテレビジョン放送信号を受信する受信手段を備えた移動受信端末、例えばＰＨＳ、ＰＤＡ、車載用受信装置等を使用することもできる。また、携帯電話器２を使用したので、管理センタ１０との送受信は、携帯基地局４を介して行ったが、例えば移動受信端末が携帯電話器で無い場合、無線インターネットを介して管理センタ１０と送受信することもできる。上記の実施の形態では、管理センタ１０は、受信レベルと、位置情報と、傾斜情報と、角度情報とに基づいてデータベースを作成したが、最低限度、位置情報と受信レベルとによってデータベースを作成することもできる。また、上記の実施の形態では、地上デジタルテレビジョン放送信号を使用したが、これに限ったものではなく、移動受信端末で受信可能な放送信号であれば、種々のものを使用することができ、例えば衛星からのモバイル放送信号を使用することもできる。
【００２８】
上記の実施形態では、各地上デジタルテレビジョン放送信号が同一の方向から到来することを前提としたが、実際には異なる方向から各地上デジタルテレビジョン放送信号が到来することもある。この場合に備えて、異なるチャンネルの地上デジタルテレビジョン放送信号の受信レベルを個別に検出し、チャンネルごとに上記のデータベースを作成することもできる。
【００２９】
上記の実施形態では、ＧＰＳ装置は緯度と経度との二次元情報を検出するものとしたが、これに加えて高度の情報も検出するようにすれば三次元情報が得られ、さらに良好に受信状況を改善することが可能となる。また、移動端末として携帯電話器を上記の実施形態では示したが、移動体、例えば車両搭載用の端末装置とすることもできる。この場合、高速での移動が考えられる。この場合、データベース作成用に最低限度、受信レベルと位置情報を収集すればよいが、移動体の移動方向と移動速度のデータも収集することにより、移動方向、移動速度を考慮した詳細な受信エリア情報を提供することが可能となる。
【図面の簡単な説明】
【００３０】
【図１】本発明の１実施形態の移動受信端末装置の受信状況報知システムの概略構成図である。
【図２】図１の受診状況報知システムでの信号の流れを示す図である。
【図３】図１の受信状況報知システムの携帯電話器での表示例を示す図である。
【符号の説明】
【００３１】
２  携帯電話器（移動受信端末）
６  放送局
１０  管理センタ
【図１】
2007150664.tif 000003
【図２】
2007150664.tif 000004
【図３】
2007150664.tif 000005